(57)【要約】【課題】帳票上の設備仕様とデータベースの項目との間の対応付けを、複雑な対話処理をせずに設定することができる。【解決手段】帳票２０１の画像データと、帳票上の設備仕様と、設備データベースの項目との対応関係を示すデータベース格納順データとが、入力される入力装置１０１と、帳票２０１上の文字および図形をデジタル化するデジタル化装置１０２と、帳票２０１上の設備仕様が設備データベースの項目との対応関係を示す帳票定義データを格納する帳票定義メモリ１０８と、データベース格納順データに基づいて帳票定義データを作成するパターン定義指示装置１０７と、当該帳票定義データを格納するパターン定義装置１０６と、格納された帳票定義データに基づいて帳票２０１上の文字コードをデータベース構造上のデータに変換する設備仕様変換装置１０３と、設備仕様変換装置１０３の出力を格納するデータベースメモリ１０９とを備えている。【選択図】図１
2008027094.tif 000002
【特許請求の範囲】
【請求項１】
矩形の枠内に複数の文字列からなる設備仕様が記載されている認識対象から、前記設備仕様を読み取り、設備データベースにこの仕様を入力する設備仕様入力装置であって、
前記設備仕様を記した前記認識対象の画像データもしくは前記認識対象のベクトル・文字列構造データが、認識対象データとして入力される第１の入力手段と、
前記認識対象データ上の文字および図形を、文字コードおよび線分データに変換するデジタル化手段と、
前記認識対象データ上のどの位置に記載された設備仕様が、前記設備データベースのどの項目に対応するかを示す設備データベース構造のパターンを格納するパターン定義メモリ手段と、
前記パターン定義メモリ手段内に既存のパターンが格納されていない場合に、前記認識対象データ上のどの位置に記載された設備仕様が、前記設備データベースのどの項目に対応するかを示すデータベース格納順データが入力される第２の入力手段と、
前記第２の入力手段によって入力された前記データベース格納順データを、前記設備データベース構造上における位置として解釈して、パターン定義データを作成するパターン定義指示手段と、
前記パターン定義指示手段によって作成された前記パターン定義データを、前記パターン定義メモリ手段に、前記設備データベース構造のパターンとして格納するパターン定義手段と、
前記パターン定義メモリ手段に格納された前記設備データベース構造のパターンに基づいた位置に記載されている前記認識対象データ上の文字コードをデータベース構造上の文字コードに変換する設備仕様変換手段と、
前記設備仕様変換手段の出力をデータベース内容として格納するデータベースメモリ手段と
を備えたことを特徴とする設備仕様入力装置。
【請求項２】
前記第１の入力手段に入力される前記認識対象データと、前記第２の入力手段に入力される前記データベース格納順データとは、前記認識対象にともに記載されていて、画像データとして同時に入力されることを特徴とする請求項１に記載の設備仕様入力装置。
【請求項３】
前記第２の入力手段は、ハードウエアもしくは表示画面上に表示されたボタンから構成され、前記データベース格納順データは前記ハードウエアもしくは前記ボタンにより直接入力されることを特徴とする請求項１または２に記載の設備仕様入力装置。
【発明の詳細な説明】
【技術分野】
【０００１】
この発明は設備仕様入力装置に関し、特に、長方形の枠内に複数の文字列からなる設備仕様を記した認識対象である帳票等から設備仕様を読み取り、設備データベースにこの仕様をデジタルデータとして入力するための設備仕様入力装置に関する。
【背景技術】
【０００２】
近年、空調設備、配電設備などの諸設備の仕様を設備データベースに格納して、設備保全・設備点検業務を効率化しようという動向がある。この際の設備データベースに格納される設備仕様は、設備名、型式、電圧、設備諸元などの多岐にわたる。
【０００３】
これらの設備仕様は、一設備一帳票、ないし、複数の設備の設備仕様を一括して紙面上の設備帳票に記録されている場合があり、別途帳票の内容をよみとってデータベースに格納する必要があった。
【０００４】
また、複数の設備を一括して、コンピュータ支援設計（ＣＡＤ）でコンピュータ可読の文字コードで記録している場合があるが、この場合も、ＣＡＤ帳票上である項目が例えば「電圧」を示すというのはＣＡＤ図面をみた人間が判読できることであり、別途帳票の内容をよみとってデータベースの相当箇所（例えば「電圧格納項目」）に格納する必要があった。
【０００５】
以上のように、帳票の設備仕様を設備データベースに格納する際には、その内容をよみとり、データベース上の該当項目を判別して、適合する項目に格納する必要があった。
【０００６】
従来からこの設備仕様をデータベースに格納することをなるべく自動化するための発明がなされてきた。
【０００７】
従来の携帯型情報端末装置では、携帯電話で撮影した文字列を所定領域ごとに切り出して文字を認識する技術を開示しており、この文字列を設備仕様とすれば、設備仕様の読み取りに適用することが可能である（例えば、特許文献１参照）。
【０００８】
しかしながら、帳票で仕様項目の表されている位置は、必ずしも設備データベースの項目の配列と同じであるとはかぎらない。この課題を解決するため、従来の電子ファイリングシステムでは、認識結果の格納用テンプレートを持つことにより、帳票中のどの領域を読み取って認識した後に、その結果をデータベースのどこに格納するかを示している（例えば、特許文献２参照）。
【０００９】
従来の帳票データ入力装置でも、上述の格納用テンプレートに相当する「定義情報ファイル」という、認識結果の格納用の帳票定義部分をもち、前記の発明と同様、帳票中のどの領域を読み取って認識したのち、その結果をデータベースのどこに格納するかを示している（例えば、特許文献３参照）。
【００１０】
【特許文献１】特開２００５−１３４９６８号公報
【特許文献２】特開２００１−８４２５４号公報
【特許文献３】特開２００５−１０００７９号公報
【発明の開示】
【発明が解決しようとする課題】
【００１１】
上述した特許文献１においては、帳票で仕様項目の表されている位置は、必ずしも設備データベースの項目の配列と同じであるとはかぎらないため、どの位置を読み取った後に、それをどこに格納するかを決定するのは、ユーザが行わなければならず、ユーザの負荷が大きいとともに、ユーザの間違いにより、誤入力が発生する可能性があるという問題点があった。
【００１２】
また、上述した特許文献２では、認識結果の格納用テンプレートは対話的に定義することとされ、文字列領域の両端と、データベース項目の該当項目との対応付け操作が示されており、特許文献３でも何らかの対話的処理により帳票定義部分を定義することとされているので、いずれの場合も、複雑な対話処理が必要であるという問題点があった。
【００１３】
なお、特許文献２および３のいずれにも、認識結果の領域の複数がデータベース項目の一つにあたる場合（例：認識結果は「電圧」「電流」であるが、データベース項目は「電圧・電流」である場合）、あるいは、認識結果の領域が単一であるが、データベース項目が複数である場合（例：認識結果は「電圧・電流」であるが、データベース項目は「電圧」と「電流」とが別な場合）についての処理については開示されていない。
【００１４】
この発明は、かかる問題点を解決するためになされたものであり、入力源の設備仕様項目とデータベース格納項目の間の対応付けを帳票定義手段に設定する際に、複雑な対話処理をせずに帳票定義を設定することができる設備仕様入力装置を得ることを目的としている。
【課題を解決するための手段】
【００１５】
この発明は、矩形の枠内に複数の文字列からなる設備仕様が記載されている認識対象から、前記設備仕様を読み取り、設備データベースにこの仕様を入力する設備仕様入力装置であって、前記設備仕様を記した前記認識対象の画像データもしくは前記認識対象のベクトル・文字列構造データが、認識対象データとして入力される第１の入力手段と、前記認識対象データ上の文字および図形を、文字コードおよび線分データに変換するデジタル化手段と、前記認識対象データ上のどの位置に記載された設備仕様が、前記設備データベースのどの項目に対応するかを示す設備データベース構造のパターンを格納するパターン定義メモリ手段と、前記パターン定義メモリ手段内に既存のパターンが格納されていない場合に、前記認識対象データ上のどの位置に記載された設備仕様が、前記設備データベースのどの項目に対応するかを示すデータベース格納順データが入力される第２の入力手段と、前記第２の入力手段によって入力された前記データベース格納順データを、前記設備データベース構造上における位置として解釈して、パターン定義データを作成するパターン定義指示手段と、前記パターン定義指示手段によって作成された前記パターン定義データを、前記パターン定義メモリ手段に、前記設備データベース構造のパターンとして格納するパターン定義手段と、前記パターン定義メモリ手段に格納された前記設備データベース構造のパターンに基づいた位置に記載されている前記認識対象データ上の文字コードをデータベース構造上の文字コードに変換する設備仕様変換手段と、前記設備仕様変換手段の出力をデータベース内容として格納するデータベースメモリ手段とを備えたことを特徴とする設備仕様入力装置である。
【発明の効果】
【００１６】
この発明は、矩形の枠内に複数の文字列からなる設備仕様が記載されている認識対象から、前記設備仕様を読み取り、設備データベースにこの仕様を入力する設備仕様入力装置であって、前記設備仕様を記した前記認識対象の画像データもしくは前記認識対象のベクトル・文字列構造データが、認識対象データとして入力される第１の入力手段と、前記認識対象データ上の文字および図形を、文字コードおよび線分データに変換するデジタル化手段と、前記認識対象データ上のどの位置に記載された設備仕様が、前記設備データベースのどの項目に対応するかを示す設備データベース構造のパターンを格納するパターン定義メモリ手段と、前記パターン定義メモリ手段内に既存のパターンが格納されていない場合に、前記認識対象データ上のどの位置に記載された設備仕様が、前記設備データベースのどの項目に対応するかを示すデータベース格納順データが入力される第２の入力手段と、前記第２の入力手段によって入力された前記データベース格納順データを、前記設備データベース構造上における位置として解釈して、パターン定義データを作成するパターン定義指示手段と、前記パターン定義指示手段によって作成された前記パターン定義データを、前記パターン定義メモリ手段に、前記設備データベース構造のパターンとして格納するパターン定義手段と、前記パターン定義メモリ手段に格納された前記設備データベース構造のパターンに基づいた位置に記載されている前記認識対象データ上の文字コードをデータベース構造上の文字コードに変換する設備仕様変換手段と、前記設備仕様変換手段の出力をデータベース内容として格納するデータベースメモリ手段とを備えたことを特徴とする設備仕様入力装置であるので、入力源の設備仕様項目とデータベース格納項目の間の対応付けを帳票定義手段に設定する際に、複雑な対話処理をせずに帳票定義を設定することができる。
【発明を実施するための最良の形態】
【００１７】
実施の形態１．
以下、この発明の実施の形態を、図面を参照しながら説明する。図１は、この発明の実施の形態１に係る設備仕様入力装置の構成を示すブロック図である。この設備仕様入力装置は、入力装置１０１、デジタル化装置１０２、設備仕様変換装置１０３、帳票表示画面１０４、操作装置１０５、帳票定義装置１０６、帳票定義指示装置１０７、帳票定義メモリ１０８およびデータベースメモリ１０９を備えている。図２は、この発明で取り扱う帳票の一例で、２０１は帳票全体、２０２は標題行を示す。また、２０３は帳票中の枠線を示し、２０４は帳票中の文字列を示す。図２の分電盤に関する帳票の例では、設備名、設備番号、電圧、電流、諸元、製造元などの項目が所定の枠内に記載されている。図３は、この発明で取り扱う設備データベースの一例で、３０１は設備データベースのデータベース内容の表示例、３０２はデータベースの項目並びを示す。図３は、図２に示された帳票データを取り込んだあとの表示例を示している。図４（ｂ）は、帳票定義メモリ１０８に蓄えられる帳票定義データ４０１の内容を、図４（ａ）の関連する帳票２０１、及び、図４（ｃ）のデータベース内容３０１とともに示したものであり、４０２は、帳票２０１の項目を左側の枠から順に１，２，３・・・と示した帳票枠指示であり、４０３は、各帳票枠がデータベース内容３０１のデータベース項目を左側から順に１，２，３・・・となるというデータベース格納順を示したものであり、従って、ここでは、帳票２０１の最も左の枠（設備名）にあるデータは、データベース内容３０１においては、左から２番目の項目に格納すべきことを例示している。
【００１８】
動作について説明する。入力装置１０１は、例えば画像スキャナであり、紙媒体である帳票２０１全体を光学的に走査して、帳票に記載された文字や図形（枠線など）をイメージに変換して、画像データ（デジタルデータ）として取り込む。デジタル化装置１０２は、画像データとして取り込まれた帳票のデータの中から文字の部分を文字コードとして認識し、帳票内の矩形の枠を構成している区切りの枠線を線分として認識する。１つの枠線内の文字コードは一体の文字列コードとして扱われる。この時点で、帳票のデータは、枠線２０３であれば、始点座標（ｘ１，ｙ１）と終点座標（ｘ２，ｙ２）の組で与えられ、文字列２０４であれば、もっとも左の文字の左下の座標をもって始点座標（ｘ，ｙ）とし、それと文字コード列（図２の例では、「Ｆ−４２３６」）で与えられる。但し、このデジタル化装置１０２の出力としては、枠線と文字列との対応はついていない。
【００１９】
設備仕様変換装置１０３は、デジタル化装置１０２の出力を帳票表示画面１０４に表示し、次のようにして帳票２０１の内容をデータベース内容３０１に変換する。まず、この帳票２０１の形式が既知であり、その変換指示が帳票定義データ４０１の形態で帳票定義メモリ１０８に既に格納されているとする。パターン定義メモリ手段である帳票定義メモリ１０８には、帳票２０１上で、どの位置に記載された設備仕様が、変換後のデータベース内容３０１のどの項目に対応するかを示す設備データベース構造のパターンが格納されている。操作装置１０５は、キーボード及び／またはマウス等で構成されており、操作装置１０５の操作により、この既存の帳票定義データ４０１を帳票定義メモリ１０８から読み出し、設備仕様変換装置１０３内に読み込む。一方、帳票内の文字列２０４について、その始点のＹ座標（文字列２０４の中のもっとも左の文字の左下の座標）と、枠線２０３のうちの水平線分のＹ座標とを比較して、設備仕様変換装置１０３は、同一の列内に格納すべき文字列を集める。この状態の設備データ例を図２の帳票２０１に示す。ここで、文字列「分電盤」は、枠線２０３のうちの垂直線分のＸ座標と比較することにより、左から１番目の項目であるように配列される。ここで、帳票定義データ４０１の記述をもとに、設備仕様変換装置１０３は、帳票表示順４０２により、左から１番目の帳票データを、データベース格納順４０３によりデータベースの第２項目に配置する。以下、同様に配置し、図４（ｃ）のデータベース内容３０１に示すように設備仕様を変換する。この変換結果がデータベースメモリ１０９に格納される。このように、帳票定義メモリ１０８内に帳票定義データ４０１が格納済みの場合には、帳票２０１をデータベース内容３０１に変換して、データベースメモリ１０９に格納することができる。
【００２０】
設備仕様変換装置１０３は、帳票定義データが定義されていない場合には、例えば、次のように動作する。図５は、帳票２０１の一例であり、通常の帳票要素のほかに、空いている帳票欄にデータベース格納順４０３と同様の内容がデータベース格納順表示行４０３Ｂに記述してある。このデータベース格納順表示行４０３に記載されている数字は、帳票定義メモリ１０８内に既存の帳票定義データ４０１が格納されていない場合に、帳票２０１上のどの位置に記載された設備仕様が、設備データベースのどの項目に対応するかを示すデータベース格納順データである。図５の例では、帳票２０１の画像データを入力装置１０１が走査するときに、データベース格納順表示行４０３Ｂの画像データも同時に入力され、デジタル化装置１０２によりデジタル化される。このような帳票２０１を読み取り対象として、読み取り結果を帳票表示画面１０４に表示し、操作装置１０５で、このデータベース格納順表示行４０３Ｂを指定（クリック）することにより、この行の内容（文字２、文字１、・・・）が帳票定義指示装置１０７に送られ、帳票定義指示装置１０７により、この行の内容が帳票定義として解釈される。すなわち、帳票の左から第１項目に数値２とある場合は、帳票の第１項目を、データベースの２番目に格納する定義とみなす。この操作により、帳票定義データ４０１が生成され、生成結果は帳票定義装置１０６および帳票定義メモリ１０８に格納され、該当帳票２０１の他の行をデータベースに変換するのに用いられる。一般に、帳票そのものにデータベース格納順を調べてデータベース格納順表示行４０３Ｂとして記録するのは、設備仕様変換装置１０３の操作とは独立して、事前に機械操作によらずにできるので、このような記録を設備仕様変換に用いることにより、帳票定義データ４０１の作成手順が簡素化される。
【００２１】
以上説明したように、この発明の実施の形態１に係る設備仕様入力装置によれば、帳票定義がされていない帳票に対しても、帳票図面に記してある、データベース上の項目の配置を表す数字をもとに帳票定義を行うことができるので、帳票定義の手間を減少させることができる。
【００２２】
なお、実施の形態１において、データベース項目をあらわす数字が認識できない場合は、操作装置１０５から、該当データベース項目をあらわす数字を別途入力することで、同様の帳票の定義を行う。
【００２３】
実施の形態１において、図５に示すように、同一のデータベース項目番号が出てきた場合であるが、帳票定義指示装置１０７において、その場合は帳票の両項目を合わせた文字列を、図４の（３）のようにデータベース化するよう指示する。
【００２４】
実施の形態１において、図６は、帳票定義のほかの例であり、図６に示すように、帳票の一つの項目（例：「電圧・電流」）を、データベースでは２つの項目（例：「電圧」および「電流」）に分ける場合が生じる。この際、帳票で電圧の項目と電流の項目を分けているのが「，」（コンマ）であれば、これを明示した「３|，|４」という記法をとって帳票定義を行い、帳票定義指示装置がこの記法を解読して、「コンマ」の前をデータベース項目の３番目、コンマのあとをデータベース項目の４番目に格納するように指示することができる。この場合、帳票定義においては、コンマから後になる部分を帳票定義データ４０１にあるよう「，３」と記して格納しておく。
【００２５】
実施の形態１において、図６Ａは、帳票定義のさらにほかの例であり、図６Ａに示すように、帳票の一つの項目（例：「電圧」）を、データベースでは２つの項目（例：「数値」および「単位」）に分ける場合が生じる。この際、帳票で数値の項目と単位の項目を分けているのが、単位を表す非数値文字（アルファベット）であれば、これを明示した「３|ｘ|４」という記法をとって帳票定義を行い、帳票定義指示装置がこの記法を解読して、数値部分をデータベース項目の３番目、非数値部分をデータベース項目の４番目に格納するように支持することができる。この場合、帳票定義においては、非数値部分を帳票定義データ４０１にあるよう「ｘ３」と記して格納しておく。
【００２６】
以上のように、本実施の形態においては、帳票２０１の一部を帳票定義部分に用いるための帳票定義指示装置１０７をもち、帳票定義指示装置１０７において、帳票を表示する帳票表示画面１０４上にデータベース項目の指示を置くことにより、このデータベース項目の指示に従って帳票定義を作成するようにしたので、入力源の設備仕様項目とデータベース格納項目の間の対応付けを帳票定義装置１０６に設定する際に、複雑な対話処理をせずに帳票定義を設定することができる。
【００２７】
また、データベース項目の指示を置く方法の一つは、図５に示すように、入力する帳票２０１自体にモデル的にデータ項目指示を上書きするものであり、データベース項目を通常の配置順に左から１，２，３などと名付けたときの数値１，２，３などを記入したものである。このデータベース格納順表示行４０３Ｂが表示されている帳票表示画面１０４を操作者が指示することで帳票定義指示装置１０７にデータベース項目を指示するようにしたので、簡単な操作で指示を行うことができる。
【００２８】
また、データベース項目を、上述の１，２，３などの指示で帳票表示画面１０４の上に上書き表示することで、帳票定義指示装置１０７に伝達することもできる。帳票定義指示装置１０７は、このようにして伝達されたデータベース項目を表す記号を、データベース項目に変換して、帳票定義を行うことを可能にする。
【００２９】
また、帳票定義指示装置１０７の中に、複数の帳票項目を単一のデータベース項目にまとめ、あるいは、単一の帳票項目を複数の帳票項目に分解するための複数項目対応付け手段をもつことにより、複雑な対応関係の処理の負荷を減らすことができる。例えば、帳票上の電圧、電流の２項目に対して、データベース項目として同じ数値「３」を指示することで、電圧、電流の２項目を、データベースとして同じ第３項目（例：「電圧・電流」項目に収めるように指示することができる。また、帳票が「電圧、コンマ、電流」と表記されている場合、これに対し、「３、，（コンマ）、４」と指示することで、帳票の該当項目の最初からコンマまでをデータベースの第３項目（例：電圧）、コンマのあと、最後までをデータベースの第４項目（例：電流）に分けて収めるように指示することができ、さらに、利便性に優れている。
【００３０】
実施の形態２．
図７は、この発明の実施の形態２に係る設備仕様入力装置の構成を示すブロック図である。この設備仕様入力装置は、携帯型のデジタルカメラ１１０を画像入力装置として持ち、デジタルカメラ１１０で撮影された画像をデジタルメモリ挿入装置１１１を介して設備仕様変換装置１０３に取り込むように構成されている。図１の構成との違いは、図１の入力装置１０１の代わりに、デジタルカメラ１１０とデジタルメモリ挿入装置１１１とが設けられている点である。他の構成については図１と同じであるので、ここでは説明を省略する。
【００３１】
本実施の形態２においては、デジタルカメラ１１０により図８に示すような装置に貼付されている銘盤２１０を撮影する。なお、銘盤とは、一般に、機器や装置などに取り付けられるプレートで、その名称、定格、製造者名、製造年月日、製造番号等を記したものをいう。図８の分電盤の例では、設備名、設備番号、電圧、電流、諸元、製造元などが記載されている。他の例を挙げれば、例えば、エレベータの場合、かご内に取り付けられる積載荷重、定員、用途などを記したプレートのほか、操作方法や禁煙などの表示板も銘盤と呼ばれる。以下、上述の実施の形態１の説明において「帳票」としたところを「銘盤」と読み換えることにより、本実施の形態２について説明できるため、ここでは、詳細な説明は省略する。
【００３２】
本実施の形態２においても、実施の形態１の「帳票」の帳票定義データ４０１と同様に、「銘盤」のパターン定義データが帳票定義メモリ１０８に格納されている場合は、データベース内容（図３の３０１参照）への変換が行われる。
【００３３】
「銘盤」の定義がなされていない場合には、図８（ｂ）に示すように、データベース定義を書き込んだ擬似的な銘盤２１０Ｂを作成し、これを作成することにより、帳票定義指示装置１０７により、「銘盤」の定義を行うことができる。この擬似的な銘盤２１０Ｂは、実際に装置に設けられている銘盤２１０Ｂの上に、付箋を貼り付け、付箋に数字を手書きすることで作成が可能であり、設備仕様入力装置の操作とは別に容易に作成することができるので、実施の形態１と同様に、入力源の設備仕様項目とデータベース格納項目の間の対応付けを帳票定義装置１０６に設定する際に、複雑な対話処理をせずに帳票定義を設定することができる。なお、擬似的な銘盤２１０Ｂについてもデジタルカメラ１１０により撮影して、画像データを作成し、そこから文字や枠線の部分を認識するので、付箋に記載する文字は手書きのものより、ワードプロセッサ等により作成されたものの方が望ましい。
【００３４】
以上のように、本実施の形態２による設備仕様入力装置は、設備仕様が銘盤に記されていて、これをデジタルカメラで撮影した後にデータベース化する際にも、容易に作成できる擬似的な銘盤２１０Ｂを作成して、データベース格納順を定義するようにしたので、銘盤の仕様とデータベース仕様との対応を容易にとることができるので、実施の形態１と同様に、入力源の設備仕様項目とデータベース格納項目の間の対応付けを帳票定義装置１０６に設定する際に、複雑な対話処理をせずに帳票定義を設定することができる。
【００３５】
実施の形態３．
図９は、この発明の実施の形態３に係る設備仕様入力装置の構成を示すブロック図である。この設備仕様入力装置は、ＣＡＤデータ変換装置１１２を持ち、計算機支援設計（ＣＡＤ）で作図された帳票を、入力することができる。図１の構成との違いは、図１の入力装置１０１の代わりに、ＣＡＤデータ変換装置１１２が設けられている点である。他の構成については図１と同じであるので、ここでは説明を省略する。
【００３６】
ＣＡＤで作図された帳票のデータ構造は、実施の形態１のデジタル化装置１０２の出力と同じ形態であり、文字列と枠線の座標からなる。従って、本実施の形態３の場合は、ＣＡＤで作図された帳票のベクトル・文字列構造データをＣＡＤデータ変換装置１１２に入力すると、デジタル化装置１０２が、当該ＣＡＤデータから、文字を文字コードとして認識し、枠線を線分として認識する。その後の設備仕様変換装置１０３以後の処理は、実施の形態１と全く同様であるので、ここではその説明は省略する。
【００３７】
以上のように、本実施の形態３によれば、ＣＡＤデータとしてデータベースとの対応を入れることにより、実施の形態１と同様に、入力源の設備仕様項目とデータベース格納項目の間の対応付けを帳票定義装置１０６に設定する際に、複雑な対話処理をせずに帳票定義を設定することができる。
【００３８】
実施の形態４．
図１０は、この発明の実施の形態４に係る設備仕様入力装置の構成を示すブロック図である。本実施の形態においては、図１０に示すように、帳票表示画面１０４内に、数字・文字ボタン１１３を設けている。数字・文字ボタン１１３中の文字としては、実施の形態１で示したような、「ｘ」「，」などの帳票定義で必要な文字が設定されている。本実施の形態４によれば、実施の形態１と同様に設備仕様変換装置１０３の変換結果が帳票表示画面１０４に提示されたとき、直接、データベース格納順を数字・文字ボタン１１３で入力して指定することにより、帳票定義を行うことができる。この方法は、データベース格納順表示行４０３Ｂを指示する上述の実施の形態１よりも、指定するステップ数は多くなるが、設備仕様変換装置１０３の変換結果で認識不能の文字がある場合に有効である。
【００３９】
以上のように、本実施の形態４においては、帳票表示画面１０４内に、数字・文字ボタン１１３を設けて、設備仕様変換装置１０３の結果が帳票表示画面１０４に提示されたとき、直接、データベース格納順を数字・文字ボタン１１３で指示して、帳票定義を行うことができるようにしたので、実施の形態１と同様に、入力源の設備仕様項目とデータベース格納項目の間の対応付けを帳票定義装置１０６に設定する際に、複雑な対話処理をせずに帳票定義を設定することができる。
【００４０】
なお、本実施の形態では、帳票を入力装置１０１で読み取っているが、実施の形態２で説明したような銘盤をデジタルカメラ１１０で読み取る構成に適用することも可能であり、また、実施の形態３で説明したようなＣＡＤデータである帳票をＣＡＤデータ変換装置１１２で読み取る構成に適用することも可能である。
【図面の簡単な説明】
【００４１】
【図１】この発明の実施の形態１に係る設備仕様入力装置の構成を示すブロック図である。
【図２】この発明の実施の形態１に係る設備仕様入力装置において、入力対象となる帳票の例である。
【図３】この発明の実施の形態１に係る設備仕様入力装置において、出力結果となる設備データベースの例である。
【図４】この発明の実施の形態１に係る設備仕様入力装置において、帳票定義の一例を示す。
【図５】この発明の実施の形態１に係る設備仕様入力装置において、帳票の一部に帳票定義を書き込んだ一例である。
【図６】この発明の実施の形態１に係る設備仕様入力装置において、帳票定義の一例で、帳票の１項目がデータベースの２項目に相当する例を示す。
【図６Ａ】この発明の実施の形態１に係る設備仕様入力装置において、帳票定義の別の例で、帳票の１項目がデータベースの２項目に相当する別の例を示す。
【図７】この発明の実施の形態２に係る設備仕様入力装置の構成を示すブロック図である。
【図８】この発明の実施の形態２に係る設備仕様入力装置において、入力対象となる銘盤の例である。
【図９】この発明の実施の形態３に係る設備仕様入力装置の構成を示すブロック図である。
【図１０】この発明の実施の形態４に係る設備仕様入力装置の構成を示すブロック図である。
【符号の説明】
【００４２】
１０１  入力装置、１０２  デジタル化装置、１０３  設備仕様変換装置、１０４  帳票表示画面、１０５  操作装置、１０６  帳票定義装置、１０７  帳票定義指示装置、１０８  帳票定義メモリ、１０９  データベースメモリ、１１０  デジタルカメラ、１１１  デジタルメモリ挿入装置、１１２  ＣＡＤデータ変換装置、１１３  数字・文字ボタン、２０１  帳票、２０１Ａ  帳票の別例、２０２  標題行、２０２Ａ  表題行の別例、２０３  帳票中の枠線、２０４  帳票中の文字列、２１０  銘盤、２１０Ｂ  擬似的な銘盤、３０１  データベース内容、３０１Ａ  データベース内容の別例、３０２  データベースの項目並び  ４０１  帳票定義データ、４０１Ａ  帳票定義データの別例、４０２  帳票表示順、４０２Ａ  帳票表題行の別例、４０３  データベース格納順、４０３Ａ  データベース格納順の別例、４０３Ｂ  データベース格納順表示行。
【図１】
2008027094.tif 000003
【図２】
2008027094.tif 000004
【図３】
2008027094.tif 000005
【図４】
2008027094.tif 000006
【図５】
2008027094.tif 000007
【図６】
2008027094.tif 000008
【図６Ａ】
2008027094.tif 000009
【図７】
2008027094.tif 000010
【図８】
2008027094.tif 000011
【図９】
2008027094.tif 000012
【図１０】
2008027094.tif 000013